(57)【要約】　　　（修正有）【課題】夫婦間が性行為を実行する場合に、上位者の両足または足先に任意の方向の着力点と力点を提供できると共に、両足の滑りを防止できるので、夫婦間の性行為の楽しさを向上できつつ、夫婦間の感情をも向上できるようにする。【解決手段】本考案のレッグ位置決め作用を強化可能な毛布構造は、毛布の末端部にレッグ・サポート・パッド２を配置し、当該レッグ・サポート・パッドの表面に複数のレッグ・サポート部同士が形成され、それらのレッグ・サポート部３がスロット３１とリブのタイプのものや、突出塊とリブのタイプなどを任意に組合せ形成でき、それらのスロットとリブ及び突出塊とリブがレッグをサポートできると共に、力点を提供でき、毛布に圧制されると共に、下位者の体重を合せる固定方式によって本考案に穏やかな位置決め作用を付与し、上位者のレッグの滑りを防止できると共に、両足や足先に着力箇所と力点を提供できるようにする。【選択図】　　図１Ａ
0003097167.tif 000002
【実用新案登録請求の範囲】
【請求項１】
一端部が位置決め用の固定端となると共に、他端部が自由端となる毛布と、
前記毛布の自由端に結合され、その表面にレッグ・サポート部が形成され、当該レッグ・サポート部によって両足または足先に対し集中力と力点を提供するレッグ・サポート・パッドと、からなることを特徴とする、
レッグ位置決め作用を強化可能な毛布構造。
【請求項２】
前記レッグ・サポート・パッドは複数のパッド同士からなることを特徴とする、請求項１に記載のレッグ位置決め作用を強化可能な毛布構造。
【請求項３】
前記レッグ・サポート部は、前記レッグ・サポート・パッドの表面にスロットまたは突出塊を形成することによって形成されるものであり、その造形はレッグ部をサポートできると共に、力を入れられるような形に形成される、単一的でまたは複合する幾何造形であり、レッグ部をサポートできると共に、レッグに力を出させるような形に形成されることを特徴とする、請求項１に記載のレッグ位置決め作用を強化可能な毛布構造。
【請求項４】
前記毛布の固定端としてラッパ状に打開される開口に形成される構造物を採用できることを特徴とする、請求項１に記載のレッグ位置決め作用を強化可能な毛布構造。
【請求項５】
前記レッグ・サポート・パッドと前記毛布とがファスナーまたは掴み毛などの着脱便利な固定構造によって結合されることを特徴とする、請求項１に記載のレッグ位置決め作用を強化可能な毛布構造。
【考案の詳細な説明】
【０００１】
【考案の属する技術分野】
本考案は、レッグ位置決め作用を強化可能な毛布構造に係わり、特にレッグ・サポート部を設けることによって両足または足先に着力用部と力点を提供することにより脚部の滑走を防止し、それによって夫婦の性行為の際の質を向上することによって夫婦の感情を向上させることができる毛布構造を提供するものである。
【０００２】
【従来の技術およびその課題】
夫婦間のグリール如きペンキらしい性行為は、後代を後続ける神聖的な任務を有するほか、夫婦間の感情をも向上でき、魚に水のような歓楽と楽しさを営むことができることであり、大部分の性行為がベッドの上で実行されるため、且つ一般のスプリング・ベッドにおいては単にシートまたは下敷きのような物品が敷かれるため、性行為を進める際、上位者はその両足をシートまたは下敷きに当接すると、容易に滑走してしまい、且つ力を集中できないと共に、力点を有しないので、性生活の質に悪い影響を与え、また、姿勢が不当になる場合に、体の健康にも悪い影響をもたらすことがある。
【０００３】
そのため、夫婦間の楽しさを向上させるために、本考案は、研究開発に投入しつつ複数回の試作とテストの結果、とうとうレッグ・サポート部を有する毛布構造を作り出し、それによってベッドにおける夫婦間の性行為の質を向上させることができるので、夫婦間の感情を向上させることができる。
【０００４】
【考案の目的】
本考案は、摩擦と阻力を向上できるレッグ・サポート部を設けることによって、夫婦間で性行為を実行する際に、上位者の両足または足先に対し任意方向の集中力と力点を提供でき、滑走を避けられ、夫婦間の性行為の質を改善でき、夫婦間の感情を向上できる、レッグ位置決め作用を強化可能な毛布構造を提供することをその主要な目的とする。
【０００５】
また、本考案は、毛布の構造が簡単で、生産しやすく、価格が安価であるが、効き目がかなり強く、効果的な強化性能を提供でき、且つ使用者の体にいずれの負担または傷害を与えることのない、レッグ位置決め作用を強化可能な毛布構造を提供することをその次の目的とする。
【０００６】
また、本考案は、毛布構造が一体製造や複数塊に分けて組立成形してもよく、携帯及び収納に便利で、製品の普及化に利することができる、レッグ位置決め作用を強化可能な毛布構造を提供することをその他の目的とする。
【０００７】
【考案の開示】
前記の目的を図るために、本考案によるレッグ位置決め作用を強化可能な毛布構造は、毛布の末端部にレッグ・サポート・パッドを配置し、当該レッグ・サポート・パッドの表面に複数のレッグ・サポート部同士が形成され、それらのレッグ・サポート部がスロットとリブのタイプのものや、突出塊とリブのタイプなどを任意に組合せ形成でき、それらのスロットとリブ及び突出塊とリブがレッグをサポートできると共に、力点を提供でき、毛布に圧制されると共に、下位者の体重を合せる固定方式によって本考案に穏やかな位置決め作用を付与し、上位者のレッグの滑りを防止できると共に、両足や足先に着力箇所と力点を提供できるので、夫婦間の性行為の楽しさを向上させることができ、夫婦間の感情をもさらに向上させることができる。
【０００８】
【考案の実施の形態】
図１（Ａ）ないし図３に示すのは、本考案の第一の実施の形態であり、当該実施の形態の場合では、毛布１とレッグ・サポート・パッド２とからなるものを使用し、当該毛布１には固定端と自由端を有し、前記固定端には掛け開口１１を有し、当該掛け開口１１が一般のベッド・カバーのようにスプリング・ベッド４に掛けられ、また、前記毛布１の中段部または尾端部の自由端の底部にファスナーまたは掴み毛１２が配置され、また、レッグ・サポート・パッド２に対向するある端部に結合面２１が形成され、当該結合面２１にもファスナーまたは掴み毛２２が形成され、レッグ・サポート・パッド２と毛布１との結合と位置決めに利用できる。
【０００９】
図１（Ｂ）と図１（Ｃ）に示すように、本考案は主にレッグ・サポート・パッド２に複数のレッグ・サポート部３を設けるものであり、第一の実施の形態においてスロット３１を主とし、それがリブや槽部などによって取り替えられ、当該スロット３１がレッグ・サポート・パッド２内に所定の深さまで至り、また、全体がそのレッグ・サポート・パッド２を貫通してもよく、スロット３１によって使用者に両足をサポートする機能を提供すると共に、力点をも提供できる。
【００１０】
また、図１（Ｄ）に示すように、両足のサポート性能と力を入れる利便性を向上させるために、前記レッグ・サポート・パッド２の尾端部が傾斜して上がり、これにより上位者が好ましい反作用力と安定性を獲得できる。
【００１１】
図４（Ａ）と図４（Ｂ）に示すように、前記毛布１の固定端が平直に延伸されてもよく、そのような場合には、下位者の体重によって圧制して位置決めすればよく、また、その固定端を折り畳んでスプリング・ベッド４の底面に圧着固定してもよく、また、レッグ・サポート・パッド２が毛布１の中段部の自由端に結合され、当該毛布１を普段の外見が一般のシート状となるようにすると共に、必要に応じて、当該毛布１の自由端を引き上げてレッグ・サポート・パッド２に露出させればよい。
【００１２】
前記の構造による場合、例えば図５に示すように、夫婦が性行為を進めている最中、レッグ５を所定のスロット３１に差し込み、それらのスロット３１がレッグ５に対し着力箇所と力点を提供し、上位者のレッグ５の滑走を防止し、且つ爆発力を提供して優れた性行為の質を提供でき、充分なサポート効果を取得するために、前記レッグ・サポート・パッド２の材料として適当な弾性または柔軟性を有する物品を採用すればよい。しかしながら、材料自体は考案性を有しないので、その説明を省略する。また、前記のファスナーまたは掴み毛１２などについて他の相同効果を有する手段を採用してもよいことは言うまでもないことであり、しかしながら、実際に実施する場合に、下位者の体が毛布１に圧着するようになるので、その体の体重によって毛布１とレッグ・サポート・パッド２を固定する効果を提供できるため、前記ファスナーまたは掴み毛を使用する場合のほうが経済的な効果を実現できる。
【００１３】
図６に示すように、前記レッグ・サポート・パッド２が前記の一体製造の物品のほか、複数に分けて製造されるパッド２３同士を組立ててなるものも採用でき、それらのパッド２３には適所にレッグ・サポート部３が形成され、複数のパッド２３同士を組み合わせることによって前記のように本考案のレッグ・サポート・パッド２の効果を実現できる。また、複数のパッド２３同士の組合せ方式はそれぞれあり、すべては熟知され実行可能なタイプであり、例えば本考案のファスナーまたは掴み毛１２，２２などの方式を適用できるし、他の相同効果を有する手段も適当に採用できることは言うまでもないことである。
【００１４】
図７と図８に示すように、本考案のレッグ・サポート・パッド３として突出塊３２，３３を形成する方式によって実施してもよいことは言うまでもなく、それらの突出塊３２，３３がニーズにしたがってそれぞれの造形に形成させることができ、すべてが使用者の両足をサポートできる機能と力を入れる機能を確保できればよく、図９に示すように、上位者のレッグ５が突出塊３２に当接してサポート効果を得られ、本考案の提供する着力効果と力を入れられる効果を提供できると共に、レッグ５の滑りを効果的に防止でき、且つ所定の爆発力を獲得できる。
【００１５】
【考案の効果】
本考案は、レッグ・サポート部によるサポート作用によって、夫婦間が性行為を実行する場合に、上位者の両足または足先に任意の方向の着力点と力点を提供できると共に、両足の滑りを防止できるので、夫婦間の性行為の楽しさを向上できつつ、夫婦間の感情をも向上できるようになる。且つ本考案による毛布構造が簡単で、効き目が大きく、ユーザーの消費行為と体にいずれの負担も与えられず、製品を勧めることと使用することに助力を与えられ、誠に優れた考案である。
【００１６】
また、前記に詳細的に説明した具体的な構造は端に本考案により実施可能な実施例に過ぎなく、それらの実施例が本考案の主張範囲を制限するものではなく、本考案の技術要旨より逸脱しない相同効果の変更や実施などがすべて本考案の主張範囲内に含まれるべきであることは言うまでもない。
【図面の簡単な説明】
【図１Ａ】本考案の第一の実施の形態を示す分解斜視図である。
【図１Ｂ】本考案の第一の実施の形態のスロットを示す側面図である。
【図１Ｃ】本考案の第一の実施の形態の他のスロットを示す側面図である。
【図１Ｄ】本考案の第一の実施の形態のレッグ・サポート・パッドの尾端部を示す斜視図である。
【図２】本考案の第一の実施の形態とスプリング・ベッドとの組合せ状態を示す説明図である。
【図３】本考案の第一の実施の形態とスプリング・ベッドとの組み合わせる後の状況を示す説明図である。
【図４Ａ】本考案の第一の実施の形態の毛布の変化例を示す説明図である。
【図４Ｂ】本考案の第一の実施の形態の毛布の変化例の使用状態を示す説明図である。
【図５】本考案の第一の実施の形態の操作例を示す説明図である。
【図６】本考案の第一の実施の形態のレッグ・サポート・パッドの構造の変化例を示す説明図である。
【図７】本考案の第二の実施の形態を示す斜視図である。
【図８】本考案の第二の実施の形態の突出塊の変化例を示す説明図である。
【図９】本考案の第二の実施の形態の操作例を示す説明図である。
【符号の説明】
１　　　　毛布
２　　　　レッグ・サポート・パッド
３　　　　レッグ・サポート部
４　　　　スプリング・ベッド
５　　　　レッグ
１１　　　掛け開口
１２　　　ファスナーまたは掴み毛
２１　　　結合面
２２　　　ファスナーまたは掴み毛
３１　　　スロット
３２　　　突出塊
３３　　　突出塊
【図１Ａ】
0003097167.tif 000003
【図１Ｂ】
0003097167.tif 000004
【図１Ｃ】
0003097167.tif 000005
【図１Ｄ】
0003097167.tif 000006
【図２】
0003097167.tif 000007
【図３】
0003097167.tif 000008
【図４Ａ】
0003097167.tif 000009
【図４Ｂ】
0003097167.tif 000010
【図５】
0003097167.tif 000011
【図６】
0003097167.tif 000012
【図７】
0003097167.tif 000013
【図８】
0003097167.tif 000014
【図９】
0003097167.tif 000015